(57)【要約】【課題】構造を複雑化すること無く梱包保管時の積載荷重対する強度を向上させ、梱包に必要な部品点数および材料使用量が少なく部品の組み立て作業性・保護性に優れた梱包装置を提供すること。【解決手段】天面並びに底面の開口部に四辺のフラップを有する外箱２とこれに収納された被梱包物１との隙間にダンボール等の板紙を折り曲げて形成される緩衝材７を挿入した梱包装置であって、緩衝材７は被梱包物１の左右の端面に接する支持面９と外箱２の端面に接する外箱当面１１とを上下の連結部１２、１４、１６で繋げた断面が略コ字状の緩衝材で内外側壁部８、１０の高さ寸法は延長部１７を設けて上下を延長し、支持面９並びに外箱当面１１の高さ寸法よりも長くする。さらには外箱２の天面並びに底面に設けられたフラップのうち、封函時に内側に位置するフラップ３、５に、緩衝材７の側壁部８、１０との接触を避ける切り欠き部１８を形成する。【選択図】図1
2006103729.tif 000002
【特許請求の範囲】
【請求項１】
天面並びに底面の開口部に四辺のフラップを有する外箱と前記外箱内に収納された被梱包物との隙間に挿入する緩衝材を具備した梱包装置であって、前記緩衝材は断面形状が略コ字状で、前記被梱包物の両端面に接する支持面と、前記支持面の左右に連接し且つ被梱包物側面に接する一対の内側壁部と、前記外箱内端面に接する外箱当面と、前記外箱当面の左右に連接し且つ外箱の内側面に接する一対の外側壁部とを持ち、前記支持面と前記外箱当面はそれぞれ上端及び下端を連結部を介して連結され、前記内側壁部並びに外側壁部の高さ寸法は前記支持面並びに前記外箱当面の高さ寸法よりも長くし、前記外箱の天面並びに底面に設けられたフラップのうち、封函時に内側に位置するフラップに、前記緩衝材の側壁部との接触を避ける切り欠き部を設けたことを特徴とする梱包装置。
【請求項２】
緩衝材の内外側壁部の高さ寸法は、前記外箱の天面並びに底面に設けられたフラップのうち、封函時に内側に位置する前記フラップの厚み分だけ、支持面並びに外箱当面の高さ寸法よりも上下にそれぞれ長いことを特徴とする請求項１に記載の梱包装置。
【請求項３】
外箱の外端面に、一部を折り曲げ線で繋がれた手穴片を設け、外箱当面の上で前記手穴片とほぼ対向する位置に抜き穴を設け、かつ前記支持面に一部を折り曲げ線で繋がれた折り返し片を設け、前記折り返し片は、前記緩衝材の内部方向へと折り曲げ、前記折り返し片の先端を手穴片に外箱内側から当接させ、前記手穴片を閉塞するように付勢したことを特徴とする請求項１〜２のいずれかに記載の梱包装置。
【発明の詳細な説明】
【技術分野】
【０００１】
本発明は、分離型空気調和機の室内機の梱包に用いられる梱包装置に関するものである。
【背景技術】
【０００２】
従来この種の梱包装置としては、図６に示すように被梱包物１の両端部にダンボール等の板紙を折り曲げて形成した緩衝材７を当てがい、筒状の外箱２に収納し結束バンド２９にて梱包を完了するものがあった（例えば、特許文献１参照）。
【特許文献１】特開平９−１１８３７０号公報
【発明の開示】
【発明が解決しようとする課題】
【０００３】
しかしながら、前記従来の構成では、梱包物保管時の積載荷重により被梱包物の変形および外箱２の胴膨れによる変形を防ぐために外箱２の材質をアップして強度を確保する方法や緩衝材７のダンボールを幾重にも折り重ね、厚みを確保する方法等が考えられるが、緩衝材７の加工を複雑化し、コストを上昇させ、加工の作業性を低下させていた。
【０００４】
さらには、外箱２は筒状で構造的に変形し易い形状であり、積載荷重に対する強度を主に緩衝材７で確保するため、緩衝材７は外箱２と略同一の寸法で構成されている。そのため、緩衝材７を外箱２の横方向の開口端から挿入する作業性が悪く、梱包作業全体の作業効率を落とし、このため機械的作業による対応が必要になり、設備投資が高価となるものであった。
【０００５】
また、開梱時の外箱２から被梱包物１および緩衝材７を取り出す場合の作業性も悪いという課題を有していた。
【０００６】
また、積み込みまたは持ち運び等の荷扱いに必要な手穴は一度使用すると開口状態となるため、長期保管時にはこの手穴から埃等が入り被梱包物を汚すためポリ袋等で被梱包物の全体を覆う必要があり梱包作業全体の作業効率を落とし、材料の使用量を増やすという課題を有していた。
【０００７】
本発明は、前記従来の課題を解決するものであり、構造を複雑化すること無く梱包保管時の積載荷重に対する強度を向上させ、部品の組み立て作業性および被梱包物の梱包作業全体に優れた梱包装置を提供することを目的とする。
【課題を解決するための手段】
【０００８】
前記従来の課題を解決するために本発明の梱包装置は、天面並びに底面の開口部に四辺のフラップを有した外箱に被梱包物を収納し、その外箱と被梱包物の隙間に緩衝材を挿入し、その緩衝材は断面形状が略コ字状で、被梱包物の両端面に接する支持面及びその左右に連接し且つ被梱包物側面に接する一対の内側壁部と、外箱内端面に接する外箱当面及びその左右に連接し且つ外箱のない端面に接する一対の外側壁部とを持ち、支持面と外箱当面はそれぞれ上端及び下端を連結部を介して連結され、内外の両側壁部の高さ寸法は支持面並びに外箱当面の高さ寸法よりも長くし、外箱の天面並びに底面に設けられたフラップのうち、封函時に内側に位置するフラップに、緩衝材の側壁部との接触を避ける切り欠き部を設けたものである。
【０００９】
これによって、梱包保管時の積載荷重を封函時に内側に位置するフラップの歪みの影響
を受けずに緩衝材に伝えられるため、強度を向上させ保護性の向上が図れるとともに構造を複雑化すること無く部品の組み立て作業性が向上する共に梱包・廃棄時の部品点数を削減することができる。
【００１０】
また、外箱の外端面に、一部を折り曲げ線で繋がれた手穴片を設け、外箱当面上で手穴片とほぼ対向する位置に抜き穴を設け、かつ支持面に、一部を折り曲げ線で繋がれた折り返し片を設け、折り返し片を緩衝材の内部方向へと折り曲げ、その先端を手穴片に外箱内側から当接させて、手穴片を閉塞するように付勢したものである。
【００１１】
これによって、荷扱いで一度手穴を開口しても折り返し片の反発力により手穴片が元に戻ることで手穴が閉じられるため埃の浸入を防止し品質の向上を図れ、部品点数を削減および被梱包物の梱包作業全体を簡素化することができる。
【発明の効果】
【００１２】
本発明は、構造を複雑化すること無く梱包保管時の積載荷重に対する強度を向上させ材料使用量が少なく部品の組み立て作業性・保護性に優れた梱包装置を提供することができる。
【発明を実施するための最良の形態】
【００１３】
第１の発明は、天面並びに底面の開口部に四辺のフラップを有する外箱とその内部に収納された被梱包物との隙間に挿入する緩衝材の断面形状が略コ字状で、被梱包物の両端面に接する支持面及びその左右に連接し且つ被梱包物の側面に接する一対の内側壁部と、外箱内端面に接する外箱当面及びその左右に連接し且つ外箱内側面に接する一対の外側壁部とを持ち、支持面と外箱当面がそれぞれ上端及び下端を連結部を介して連結され、内外の両側壁部の高さ寸法は支持面並びに外箱当面の高さ寸法よりも長くし、外箱の天面並びに底面に設けられたフラップのうち、封函時に内側に位置するフラップに、緩衝材の側壁部との接触を避ける切り欠き部を設けたことにより、梱包保管時の積載荷重を封函時に内側に位置するフラップの歪みの影響を受けずに緩衝材に伝えられるため、強度を向上させ保護性の向上が図れるとともに構造を複雑化すること無く部品の組み立て作業性が向上し、梱包・廃棄時の部品点数を削減することができる。
【００１４】
第２の発明は、特に、第１の発明の内外側壁部の高さ寸法は、外箱の天面並びに底面に設けられたフラップのうち、封函時に内側に位置するフラップの厚み分だけ、支持面と外箱当面の高さ寸法よりも長くすることによって、より梱包装置自体の歪みが少なくなり、梱包保管時の積載荷重が均等に緩衝材に伝えられるため、強度を向上させ保護性の向上が図れるとともに構造を複雑化すること無く部品の組み立て作業性が向上し、梱包・廃棄時の部品点数を削減することができる。
【００１５】
第３の発明は、外箱の外端面に一部を折り曲げ線で繋がれた手穴片を設け、外箱当面の上で手穴片とほぼ対向する位置に抜き穴を設け、かつ支持面に一部を折り曲げ線で繋がれた折り返し片を設け、折り返し片は緩衝材の内部方向へと折り曲げ、折り返し片の先端を手穴片に外箱内側から当接させて手穴片を閉塞するように付勢することによって、荷扱いで一度手穴を開口しても折り返し片の反発力により手穴片が支持され手穴が閉じられるため埃の浸入を防止し品質の向上が図れ、部品点数を削減および被梱包物の梱包作業全体を簡素化することができる。
【００１６】
以下、本発明の実施の形態について、図面を参照しながら説明する。尚、この実施の形態によって本発明が限定されるものではない。
【００１７】
（実施の形態１）
図１は、本発明の実施の形態における梱包装置の分解斜視図、図２は、本発明の実施の形態１における緩衝材の展開図、図３（ａ）は本発明の実施の形態１における緩衝材の斜視図、（ｂ）は本発明の実施の形態１における緩衝材の断面図で、図３（a）のＡ−Ａ線における緩衝材の断面図である。
【００１８】
図１において、被梱包物１は、本実施の形態では分離型空気調和機の室内機とする。そして、外箱２は天面並びに底面各開口の四辺に、封函用のフラップ３、４、５、６を有する段ボール材からなる梱包材である。外箱２内に挿入された緩衝材７は、梱包保管時の積載荷重を支えるとともに輸送時の落下などの外力より被梱包物１の保護を行う。
【００１９】
被梱包物１の両端部を支持する緩衝材７は、図１、２、３（ａ）、（ｂ）に示すように、その断面形状が略コ字状で、被梱包物１の両端面２４に接する支持面９及びその左右に連接し且つ被梱包物側面２５に接する一対の内側壁部８と、外箱２の内端面２６に接する外箱当面１１及びその左右に連接し且つ外箱の内側面２７に接する一対の外側壁部１０とを持ち、支持面９と外箱当面１１の下端が連結部１２を介して連結されている。
【００２０】
一方、支持面９の上端部には挿入ツメ１５を設けた上部連結部１６を配置し、もう一方の外箱当面１１の上端部には切り欠き穴１３を設けた上部連結部１４を設けて、各部の間に配置した折り曲げ部に沿って折り曲げ、それぞれの上部連結部１４、１６を重ね、ツメ１５を切り欠き穴１３に挿入して固定するもので、緩衝材７は互いの上下端部が連結部にて連結した断面が略コ字状の形状となっている。
【００２１】
また、内外側壁部８、１０の上下端部に延長部１７を設け、支持面９および外箱当面１１の高さ寸法より長くなっている。
【００２２】
さらには外箱２の天面並びに底面に設けられたフラップ３、４、５、６のうち、封函時に内側に位置するフラップ３、５に、緩衝材７の内外側壁部８、１０との接触を避ける切り欠き部１８を形成している。
【００２３】
上記構成において、被梱包物１の梱包作業は次のように実施される。
まず、外箱２の底面に設けられたフラップ５を内側に折り込み、次にフラップ６を内側に折り込んで、中央部を長手方向にテープ（図示せず）を貼り、外箱２の底部を形成する。この状態で、被梱包物１を外箱２の天面開口部より挿入する。次に一対の緩衝材７を外箱２内の被梱包物１の左右端面の隙間に挿入する。この後外箱２の天面に設けられた一対のフラップ３を内側に折り込む。さらに一対のフラップ４を折り込み、中央部に粘着テープ（図示せず）を貼り、封函し梱包作業が終了する。このときフラップ３、５には緩衝材７の内外側壁部８、１０との接触を避ける切り欠き部１８が形成されているので、緩衝材７の内外側壁部８、１０の延長部１７は直接フラップ４、６を支持する。
【００２４】
上記構成によって、封函時に内側に位置するフラップ３、５の歪みの影響を受けずに梱包保管時の積載荷重を緩衝材７に伝えられるため、強度を向上させ保護性の向上が図れるとともに、構造を複雑化すること無く部品の組み立て作業性が向上し、梱包・廃棄時の部品点数を削減できる。
【００２５】
更に、内外側壁部８、１０の高さ寸法は、外箱２の天面並びに底面に設けられたフラップ３、４、５、６のうち、封函時に内側に位置するフラップ３、５の厚み分だけ、支持面９並びに外箱当面１１の高さ寸法よりも長くすることによって、より梱包装置自体の歪みが少なくなり、梱包保管時の積載荷重が均等に緩衝材に伝えられるため、強度を向上させ保護性の向上が図れるとともに構造を複雑化すること無く部品の組み立て作業性が向上する共に梱包・廃棄時の部品点数を削減することができる。
【００２６】
（実施の形態２）
図４は、本発明の実施の形態１における梱包装置の斜視図、図５は、図４のＢ−Ｂ線における梱包装置の断面図である。
【００２７】
図２、４、５に示すように外箱２の外端面２８に下側を折り曲げ線１９で繋がれた手穴片２０を設けている。この手穴片２０の切り込み部を切り取り、開口状態にするとその開口部は、積み込みまたは持ち運び等の荷扱いに必要な手穴となる。
【００２８】
緩衝材７の外箱当面１１の上で手穴片２０とほぼ対向する位置に抜き穴２２を設け、かつ支持面９には、下側を折り曲げ線２３で繋がれた折り返し片２１を設けている。この折り返し片２１を予め緩衝材の内部方向へと折り曲げて付勢しておくことで、外箱２の手穴片２０が折り曲げられた時に折り返し片２１の先端が手穴片２０に外箱内側から当接し、手穴片２０を閉塞するように支持する。
【００２９】
上記構成によって、手穴片２０は荷扱いで一度開口しても、折り返し片２１の反発力によって閉じられるため、埃の浸入を防止し品質の向上が図れ、部品点数を削減および被梱包物の梱包作業全体を簡素化することができる。
【００３０】
また、手穴片２０は上側を折り曲げ線１９で繋げる構造にしてもよい。手穴片２０が上部側にあることによって、作業者の手がかかる側に厚みがあり、より作業がし易くなる。
【産業上の利用可能性】
【００３１】
以上のように、本発明は、構造を複雑化すること無く梱包保管時の積載荷重対する強度を向上させ、梱包に必要な部品点数および材料使用量が少なく部品の組み立て作業性・保護性の向上が可能となるもので、小型製品の梱包装置の用途にも適している。
【図面の簡単な説明】
【００３２】
【図１】本発明の実施の形態における梱包装置の分解斜視図
【図２】本発明の実施の形態１における緩衝材の展開図
【図３】（ａ）本発明の実施の形態１における緩衝材の斜視図（ｂ）本発明の実施の形態１における緩衝材の断面図
【図４】本発明の実施の形態１における梱包装置の斜視図
【図５】本発明の実施の形態2における梱包装置の断面図
【図６】従来例における梱包装置の分解斜視図
【符号の説明】
【００３３】
１  被梱包物
２  外箱
３、４、５、６  フラップ
７  緩衝材
８  内側壁部
９  支持面
１０  外側壁部
１１  外箱当面
１２  下部連結部
１３  切り欠き穴
１４、１６  上部連結部
１５  挿入ツメ
１７  延長部
１８  切り欠き部
１９  折り曲げ線
２０  手穴片
２１  折り返し片
２２  抜き穴
２３  折り曲げ線
２４  被梱包物端面
２５  被梱包物側面
２６  外箱内端面
２７  外箱内側面
２８  外箱外端面
２９  結束バンド
【図１】
2006103729.tif 000003
【図２】
2006103729.tif 000004
【図３】
2006103729.tif 000005
【図４】
2006103729.tif 000006
【図５】
2006103729.tif 000007
【図６】
2006103729.tif 000008